(57)【要約】【課題】  有害成分の発生を防止しつつ廃液を処理する方法の提供。【解決手段】  回転する加熱された表面を有する蒸発装置の表面に溶液状又はスラリー状の廃液を供給して濃縮乾燥し、残存固形分を回収すると共に、蒸発した有機物を燃焼無害化する廃液の処理方法。【選択図】      図１
2005326053.tif 000002
【特許請求の範囲】
【請求項１】
回転する加熱された表面を有する間接加熱式蒸発装置の表面に溶液状又はスラリー状の廃液を供給して濃縮乾燥し、蒸発装置表面上から固形分を回収すると共に、蒸発した有機物を含む排気を燃焼させて無害化する廃液の処理方法。
【請求項２】
前記蒸発装置がドラムドライヤー又はディスクドライヤーである請求項１に記載の方法。
【請求項３】
前記廃液に剥離性向上剤を添加することによって、蒸発装置の加熱表面からの固形分の剥離性を向上させる請求項１又は２に記載の方法。
【請求項４】
蒸発装置の加熱表面に剥離向上剤を予じめ被覆することによって固形分の加熱表面からの剥離性を向上させる請求項１又は２に記載の方法。
【請求項５】
前記剥離性向上剤が紙パルプ、バガス、珪藻土、ベントナイト、酸化マグネシウム、焼却灰、繊維くず、シュレッダーダスト又は鋸屑である請求項３又は４に記載の方法。
【発明の詳細な説明】
【技術分野】
【０００１】
本発明は、溶液状又はスラリー状の各種廃液の処理方法に関し、更に詳しくは回転する加熱表面を有する間接加熱式蒸発装置の加熱された表面上に廃液を供給して廃液中の蒸発性有機成分を蒸発させて濃縮すると共に加熱表面に残存する固形物を回収し、蒸発した有機物を含む排気は燃焼させて無害化する廃液処理方法に関する。
【背景技術】
【０００２】
例えば有機物濃度が高い廃液のように、通常の廃液処理方法では処理が困難な溶液状又はスラリー状の廃液は従来直接燃焼処理法で処理されている（例えば非特許文献１参照）。しかしながら、近年、多量の塩素イオン等を含む廃液を直接燃焼するとダイオキシン等の有害物質が発生するという問題があり、燃焼処理できる廃液の種類が限られて来ている（例えば非特許文献２、非特許文献３参照）。
【０００３】
【非特許文献１】五訂・公害防止の技術と法規［水質編］１８６〜１８８頁、公害防止の技術と保規編集委員会編（（社）産業環境管理協会発行）
【非特許文献２】公害防止の技術と法規［ダイオキシン類編］１６〜２３頁、公害防止の技術と保規編集委員会編（（社）産業環境管理協会発行）
【非特許文献３】公害防止の技術と法規［ダイオキシン類編］４７〜５７頁、公害防止の技術と保規編集委員会編（（社）産業環境管理協会発行）
【発明の開示】
【発明が解決しようとする課題】
【０００４】
前述の如く、通常の廃液処理方法による処理が困難な難処理性有機物を含む廃液の処理方法として、従来は廃液を直接燃焼する処理方法が知られているが、（１）ダイオキシン類などの有害物質が発生したり、（２）燃焼炉の炉壁が損傷したり、（３）処理エネルギー費用が高かったりするという問題があった。
【０００５】
従って、本発明はかかる問題を解決して、ダイオキシンなどの有害物質の発生を防止しつつ廃液を処理する方法を提供することを目的とする。
【課題を解決するための手段】
【０００６】
本発明に従えば、回転する加熱された表面を有する間接加熱式蒸発装置の表面に溶液状又はスラリー状の廃液を供給して濃縮乾燥し、蒸発装置表面上から固形分を回収すると共に、蒸発した有機物を含む排気を燃焼無害化する廃液の処理方法が提供される。
【０００７】
本発明に従えば、また前記蒸発装置がドラムドライヤー又はディスクドライヤーである廃液の処理方法又は前記廃液に剥離性向上剤を添加したり、蒸発装置の表面に剥離性向上剤を予じめ被覆したりして固形分の加熱表面からの剥離性を向上させる廃液の処理方法が提供される。
【発明の効果】
【０００８】
本発明に係る処理方法を用いて、前記難処理性有機物を多量に含む廃液を処理することにより、従来の直接燃焼炉を用いる廃液処理方法に比較して、（１）ダイオキシン類などの有害物質発生の抑制、（２）燃焼炉の炉壁損傷の防止及び（３）処理に要するエネルギー量の減少などの効果を達成することができる。
【０００９】
本発明の廃液処理方法に従って、溶液状又はスラリー状の廃液を間接加熱式蒸発装置にて濃縮乾燥処理を行う際に、廃液の種類によっては、蒸発装置の加熱表面に乾燥されて残存した固形物が粘着したり、スラリー状になったりすると、加熱表面から固形物を掻き取りにくくなる場合があり、処理が困難であったが、本発明の好ましい態様に従って、剥離性向上剤を使用することによりドラムドライヤーなどの間接加熱式蒸発装置の使用が容易になり、しかも蒸発残留物は有害物質の発生しない高温燃焼炉での処理が可能となり、安全、省エネルギー型の廃液処理が可能となる。
【発明を実施するための最良の形態】
【００１０】
本発明者らは高分子化合物製造工程などから発生する濃厚廃液をドラムドライヤーやディスクドライヤー等の間接加熱式蒸発乾燥濃縮装置に供給して処理することにより、前述の難処理性有機物や塩素イオン等を濃縮側即ち、ドラム表面などに集めることができると共に、蒸発した有機物を含む排気を排ガス燃焼装置で燃焼することにより、有害物質を大気中に発生させることなく、廃液を処理して無害化することができることを見出した。
【００１１】
前述の如く、本発明者らは、高分子化合物製造などの製造工程から発生する廃液のなかには、従来の物理的、化学的又は生物学的な処理では無害化の難しい廃液があり、これらの廃液の処理方法として前述の間接加熱式蒸発装置を用いた濃縮処理が適用できることを見出したが、かかる間接加熱式蒸発装置には加熱表面に残存する蒸発残留物が固形物の掻き取り手段による掻き取り性が良いことが必要であり、この掻き取り性が良好でない廃液を処理する場合には問題があることを認めた。そこで本発明者らはかかる掻き取り性不良の廃液を処理するに際して、掻き取り性を向上させる助剤、即ち剥離性向上剤を使用することにより間接加熱式乾燥機の適用範囲を拡大させることに成功した。
【００１２】
本発明において使用する剥離性向上剤としては、例えば紙パルプ、バガス、珪藻土、ベントナイト、酸化マグネシウム、焼却灰、繊維くず、シュレッダーダスト、鋸屑などのように、廃液中に含まれる固形物質を捕捉してその粘着性やスケール生成など連続運転の阻害になる性質を抑える物質であれば、特に限定はなく、これらの物質は廃液中に添加してもよいし、蒸発装置の回転する表面に塗布又は散布してもよい。
【００１３】
本発明に従えば、前述の難処理性有機化合物を含む廃液をドラムドライヤーなどの蒸発装置を用いて乾燥又は濃縮処理することにより、蒸発水分に同伴する有機物は排ガス燃焼装置にて無害化することができ、一方ドラム表面などに残存した乾燥濃縮物はセメント溶融炉、高炉などの高温炉にて燃焼させることにより、ダイオキシンなどの有害物質を発生させることなく無害化することができる。
【００１４】
以下、本発明を添付図面を参照して詳細に説明する。
本発明は前述の如く、廃液の蒸発処理技術と蒸発又は飛散する有機物を燃焼分解処理する技術とを組み合わせることにより廃液を効率的に無害化する方法である。例えば図１に示すように、（例えばダイオキシン類の発生の可能性のあるような）直接燃焼処理するのが適当でない、廃液について、ドラムドライヤーやディスクドライヤー等の蒸発乾燥装置１と排ガス燃焼装置２とを組み合わせることにより、容易、安全、かつ低エネルギーで廃液３を処理することができる。４は廃液貯蔵タンクであり、蒸発乾燥装置１の内部には、例えばスチームなどの熱源６を供給して、回転するドラムの表面５を加熱する。なお、ドラムドライヤーやディスクドライヤーは公知の装置であり、本発明においてはそれらをそのまま使用することができる。
【００１５】
図１に示すように、廃液は必要であれば撹拌装置（図示せず）を取り付けた廃液貯蔵タンク４に一旦貯液し、ポンプＰなどで蒸発装置（ドラムドライヤー）１のドラム表面５に供給する。廃液３はドラム表面５で間接的に加熱され、溶媒や揮発性成分は蒸発して適当なファンＦにより排気ダクト１０から排気され、燃焼装置２で燃焼無害化されてそのまま大気中へ放散することができる。一方、廃液中の非揮発成分は固形物８として回転するドラムの表面５に例えば膜状に残存し、スクレーパなどの適当な掻取り手段７でドラム表面から剥ぎ取られ、固形物受器９に集められる。この固形物８はセメント溶融炉、高炉などで無害化される。
【００１６】
図２は本発明に従って廃液の蒸発乾燥処理に際して、掻き取り困難な固体又は濃縮液体を生成する廃液に、剥離性向上剤１１を予じめ廃液３添加して処理することにより掻き取りを容易にすることができることを示す図面であり、蒸発装置１としてダブルドラムドライヤーを示しているが、これは図１のようなシングルドラムドライヤーを用いても全く問題はない。図３はドラム５の表面に廃液３を供給すると共に適当な位置から剥離性向上剤１１を散布（必要に応じ媒体と共に）する例を示す図面である。
【００１７】
特に廃液処理の方法として蒸発乾燥処理を用いる場合には乾燥処理を行うにあたり残留成分が多いことと併せて掻き取り性が良いことが要求される。廃液のなかには高沸点液体、粘着物質などを含有し、蒸発処理した際に粘着性、スラリー状を示すものも少なくない。従って、これらは掻き取りが難しいと蒸発乾燥不適廃液として間接加熱式乾燥機に使用できないこととなるので、図２及び図３に示すようなシステムを用いる。
【実施例】
【００１８】
実施例１
フェノール樹脂とそれらの原料を含む重合工程からの廃液にパルプを添加し、ドラムドライヤーにて乾燥処理した。濃縮液は紙状を呈しドラムドライヤーより、容易に剥離分離することができた。これらの濃縮物は、例えばセメント溶融炉で受け入れが承認され、一方、蒸発水分は例えば白金を充填した触媒燃焼炉に導き３５０℃にて排ガス処理を行ったところダイオキシンを発生させることなく、排ガスを無害化することができた。
【００１９】
【表１】
2005326053.tif 000003
【００２０】
実施例２
間接加熱式蒸発装置で処理するのに不適当な廃液として、例えばフェノール樹脂製造廃水、高吸水性樹脂製造廃水などの高分子化合物合成廃液がある。これは、廃液中に未反応の原料物質の他、目的高分子まで望ましく成長できなかったオリゴマーなどの低重合物質などが存在するからである。直接、この廃液と間接加熱式蒸発装置で処理した場合にはドラム表面にこれらの物質が粘着し、掻取り手段での掻取りが困難であった。然るに、フェノール樹脂製造の廃液に紙パルプを１ｗ／ｖ％程度添加し、図２に示すようなドラムドライヤーで処理したところ、紙パルプがドラム表面で紙化し、粘着性物質を極めて容易にドラム表面より掻き取ることができた。
【００２１】
実施例３
木工用接着剤の製造廃液中には接着剤成分が残存し、これを間接加熱式蒸発装置で処理すると、そのドラム表面に乾燥した成分が固着し剥離困難となった。そこでこの廃液に酸化マグネシウム１０ｗ／ｖ％、パルプ２．５ｗ／ｖ％を添加したところ、剥離性が改善され、ドラム表面から固形物を容易に掻き取ることができるようになった。
【００２２】
実施例４
ポリビニールアルコールを含む廃液を間接加熱式蒸発装置で処理すると、残存物が表面で糊状を呈し、ドラム表面に固着してしまった。これに対し、図３に示すように、事前にドラム表面にパルプを塗布した後、乾燥又は半乾燥状態にてポリビニルアルコール廃液を噴霧、塗布、乾燥すると容易に掻き取ることができるようになった。
【産業上の利用可能性】
【００２３】
以上の通り、本発明に従えば、ドラムドライヤーなどの間接加熱式蒸発装置などを用いてダイオキシンなどの有害物質を発生させることなく、比較的簡単な糸で廃液を効率的に処理することができるので、各種産業廃液の処理に有用である。
【図面の簡単な説明】
【００２４】
【図１】本発明の廃液処理方法の一例を示すフロー図である。
【図２】本発明の廃液処理方法の他の例を示すフロー図である。
【図３】本発明の廃液処理方法の更に他の例のドラム部分を示す模式図である。
【符号の説明】
【００２５】
１…蒸発乾燥装置
２…排ガス燃焼装置
３…廃液
４…廃液貯蔵タンク
５…ドラム表面
６…熱源（スチーム）
７…掻取り手段（スクレーパ）
８…残留固形物
９…固型物受器
１０…排気ダクト
１１…剥離性向上剤
Ｐ…搬送用ポンプ
Ｆ…排気ファン
【図１】
2005326053.tif 000004
【図２】
2005326053.tif 000005
【図３】
2005326053.tif 000006